(57)【要約】  アンカー（１）は、互いに旋回可能に接続されたフルーク（２）及びシャンク（３）を備える。シャンク（３）は、アンカー配備構成とアンカー回収構成との間で旋回可能であり、締結具３（３６）が、シャンク（３）に係合するように設けられて、シャンク（３）をアンカー回収構成に保持する。【選択図】  図１
2017511762.tif 000002
【特許請求の範囲】
【請求項１】
アンカーであって、
フルークと、
前記フルークに旋回可能に接続されたシャンクであって、それにより、アンカー配備構成とアンカー回収構成との間で旋回可能である、シャンクと、
前記シャンクと係合するように配置された締結具であって、それにより、前記シャンクを前記アンカー回収構成に保持する、締結具とを備える、アンカー。
【請求項２】
前記締結具はキャッチである、請求項１に記載のアンカー。
【請求項３】
前記締結具は突出部を有し、前記突出部は、前記シャンクに係合するように前記シャンクのリップを覆って延在して、前記シャンクを前記アンカー回収構成に保持する、請求項１又は請求項２に記載のアンカー。
【請求項４】
前記締結具は、前記シャンクと係合するように付勢される、請求項１から３のいずれか１項に記載のアンカー。
【請求項５】
前記締結具はカム表面を有し、前記シャンクはカムフォロアを有し、前記カムフォロアは、前記シャンクが前記アンカー回収構成に旋回するとき前記カム表面と協働して、前記締結具が前記シャンクに係合するまで前記付勢に抗して前記締結具を押すように配置される、請求項４に記載のアンカー。
【請求項６】
前記締結具はアクチュエータを有し、前記アクチュエータは、前記シャンクとの係合から前記締結具を解除するように可動であって、前記シャンクが前記アンカー配備構成に旋回することを可能にする、請求項１から５のいずれか１項に記載のアンカー。
【請求項７】
前記アクチュエータは、前記フルークの表面から突出し、前記シャンクとの係合から前記締結具を解除するように前記アクチュエータが突出する場所で動作可能である、請求項６に記載のアンカー。
【請求項８】
前記アクチュエータは、前記表面に向かって移動されることによって、前記シャンクとの係合から前記締結具を解除するように動作可能である、請求項７に記載のアンカー。
【請求項９】
前記アクチュエータは前記表面から離れるように付勢される、請求項８に記載のアンカー。
【請求項１０】
前記アクチュエータは前記シャンクに対して前記フルークの反対側にある、請求項６から９のいずれか１項に記載のアンカー。
【請求項１１】
前記締結具はロッカーアームを備え、前記締結具と前記シャンクとの係合は、前記ロッカーアームの一端で起こり、前記アクチュエータは前記ロッカーアームの他端にある、請求項６から１０のいずれか１項に記載のアンカー。
【請求項１２】
前記フルークはヘッド及びビルを有し、前記シャンクは、軸であって、軸と前記ビルとの間より、軸と前記ヘッドとの間に前記フルークのプロファイルのより多くが存在するように位置付けられる、軸の周りで前記フルークに旋回可能に接続される、請求項１から１１のいずれか１項に記載のアンカー。
【請求項１３】
前記アンカー配備構成を提供するための前記シャンクの旋回を制限するブレースを備える、請求項１から１２のいずれか１項に記載のアンカー。
【請求項１４】
前記ブレースは、前記アンカーが前記アンカー配備構成にあるときの固定位置と、前記アンカーが前記アンカー回収構成にあるときの格納位置との間で可動である、請求項１３に記載のアンカー。
【請求項１５】
前記ブレースは、一端で前記フルークに旋回可能に接続され、他端で前記シャンクに旋回可能に接続され、前記ブレースは、前記固定位置と前記格納位置との間で折畳むように関節接合される、請求項１４に記載のアンカー。
【請求項１６】
前記ブレースは脆い保持器によって前記固定位置に保持される、請求項１４又は請求項１５に記載のアンカー。
【請求項１７】
２つ以上の異なるアンカー配備構成を有し、前記シャンクは、前記アンカー配備構成のそれぞれの構成において前記フルークに対して異なる角度で配向する、請求項１から１６のいずれか１項に記載のアンカー。
【請求項１８】
停止部であって、停止部に当たって、前記ブレースが前記固定位置に載置される、停止部を備え、前記停止部は、少なくとも２つの異なる場所のうちの１つの場所に位置決めされる可能性があり、それぞれの異なる場所は異なる固定位置を提供し、それぞれの異なる固定位置は、前記シャンクが、前記アンカー配備構成において前記フルークに対して異なる角度で配向するようにさせる、請求項１４から１６のいずれか１項に記載のアンカー。
【請求項１９】
前記シャンクを、前記アンカー回収構成から離れるように旋回させるように動作可能な戻り部材を備える、請求項１から１８のいずれか１項に記載のアンカー。
【請求項２０】
前記アンカー回収構成から離れるように旋回するよう前記シャンクを付勢する付勢部材を備える、請求項１から１８のいずれか１項に記載のアンカー。
【発明の詳細な説明】
【技術分野】
【０００１】
本開示はアンカーに関する。本開示は、排他的ではないが特に、例えば専用アンカリング船舶によって支持される石油及びガスリグに関して一般的であるように、第１の船舶を係留するために使用されるが、第２の船舶から配備され回収されるアンカーに適用可能である。
【背景技術】
【０００２】
多数の異なる型のアンカーが、船舶を係留するために提案されており、また、種々の改良が、一般に使用されているアンカーの型について示唆されている。設計及び改善は、通常、アンカリングがその中で実施され得る水深を増加させること、強度を増加させること、操縦性を増加させること、及び効率、すなわち、所与の重量のアンカーによってアンカリングされ得る船舶の最大を増加させること等の目的に向けられてきた。
【０００３】
それ自身を地面に突っ込んで、アンカーを所定の位置に留めるアンカーのショベル又はプラウに似た部品は一般にフルークとして知られ、船舶からの鎖が、通常、それに対して留められるアンカーの本体は、一般にシャンクとして知られる。一部のアンカーにおいて、フルークは、シャンクに旋回可能に接続されるため、フルークとシャンクとの間の角度は、フルークがそれ自身を海床に埋め込むにつれて増加する可能性がある。他のアンカーは、強度を改善するためシャンクに強固に接続されるか又は特定の型の地面のためのフルークを有する。これらは、一般に、固定フルークアンカーとして知られる。
【０００４】
今まで適切に対処されなかった従来の固定フルークアンカーに関する１つの問題は、アンカーが、配備されると正しく配向し、所定の場所にとどまり、所望されるときに、遅延が最小である状態でかつアンカーが地面に引っかかる又は突き刺さることなく回収可能であるようにアンカーを確実にセットすることである。回収は、船舶が非常に深い海内で係留されるとき、アンカーがかなりの期間にわたって配備されていたとき、底が、例えば粘着性粘度によって粘つく場合、アンカーが、沈泥及び泥の多くの層を通して沈み、その後、より粘つく堆積物内に埋め込まれる場合、又はアンカーが特に大きくかつ重い場合、特に問題となる場合がある。これらの問題は、特に、大規模半潜水船（ｌａｒｇｅ  ｓｋａｌｅ  ｓｅｍｉｓｕｂｍｅｒｓｉｂｌｅ  ｖｕｌｅｓｓｅｌ）又は海洋探査（ｏｆｆｓｈｏｒｅ  ｅｘｐｌｏｒａｔｉｏｎ）及び坑井サービスのために使用される掘削船の種類をアンカリングするときに起こる場合があり、そのアンカリングは、大量のアンカーを使用して別個のアンカーハンドリング船の助けを借りて行われ、また、複数のアンカーを必要とする場合がある。
【発明の概要】
【課題を解決するための手段】
【０００５】
本開示の一態様によれば、アンカーが提供され、アンカーは、フルークと、フルークに旋回可能に接続されたシャンクであって、それにより、アンカー配備構成とアンカー回収構成との間で旋回する、シャンクと、シャンクと係合するように配置された締結具であって、それにより、シャンクをアンカー回収構成に保持する、締結具とを備える。
【０００６】
シャンクをアンカー回収構成に保持することは、地面からのアンカーの回収の改善された容易さを可能にしてもよい。例えば、シャンクは、アンカー回収位置から、フルークに対する位置であって、その位置において、アンカーが回収される方向（通常は、シャンクの主軸に沿う）にフルークがより大きなプロファイルを有する、位置まで旋回することを防止されてもよい。これは、地面からアンカーを取出すことをより容易にしてもよい。これは、同様に、アンカーが地面から持上げられるときに他の物体に引っかかる機会及びアンカーが海水を通して引上げられるときに回転する機会を減少させ得る。
【０００７】
締結具はキャッチであってよい。すなわち、キャッチは、シャンクを一度で捕捉すると共に保持するデバイスであってもよい。キャッチは、独立に動作して、シャンクを捕捉し保持し、したがって、単にシャンクをアンカー回収構成になるよう旋回させることによって、シャンクがアンカー回収構成に保持されることを可能にしてもよい。
【０００８】
一例において、締結具は突出部を有し、突出部は、シャンクに係合するようにシャンクのリップを覆って延在して、シャンクをアンカー回収構成に保持する。有利には、締結具は、シャンクと係合するように付勢されてもよい。これは、保持の信頼性を改善してもよい。一例において、締結具はカム表面を有し、シャンクはカムフォロアを有し、カムフォロアは、シャンクがアンカー回収構成に旋回するときカム表面と協働して、締結具がシャンクに係合するまで付勢に抗して締結具を押すように配置される。
【０００９】
締結具はアクチュエータを有してもよく、アクチュエータは、シャンクとの係合から締結具を解除するように可動であって、シャンクがアンカー配備構成に旋回することを可能にする。有利には、アクチュエータは、フルークの表面から突出し、シャンクとの係合から締結具を解除するようにアクチュエータが突出する場所で動作可能であってもよい。アクチュエータは、表面に向かって移動されることによって、シャンクとの係合から締結具を解除するように動作可能であってもよい。これは、アンカーが船舶の側部上をたどって回収されるときにアクチュエータが自動的に動作することを可能にしてもよい。アクチュエータは表面から離れるように付勢されてもよい。これは、アクチュエータが秀でており、したがって、より容易に動作することを保証するのに役立ってもよい。
【００１０】
一例において、アクチュエータはシャンクに対してフルークの反対側にある。これは、アンカーが回収されている間、アクチュエータが、底側である可能性が高いフルークの側にあってもよいことを意味し、アンカーが船舶の側部上をたどって回収されるときにアクチュエータが自動的に動作できる信頼性を改善する。
【００１１】
特に好ましい一例において、締結具はロッカーアームを備えてもよく、締結具とシャンクとの係合は、ロッカーアームの一端で起こり、アクチュエータはロッカーアームの他端にある。
【００１２】
フルークはヘッド及びビルを有してもよく、シャンクは、軸であって、軸とビルとの間より、軸とヘッドとの間にフルークのプロファイルのより多くが存在するように位置付けられる、軸の周りでフルークに旋回可能に接続されてもよい。アンカーが地面にあるとき、これは、軸の周りにフルークに印加されるトルクがシャンクをビルに向かって付勢させる効果を有してもよい。これは、アンカーがアンカー配備構成に留まることを保証するのに役立ってもよい。
【００１３】
アンカーは、通常、アンカー配備構成を提供するためのシャンクの旋回を制限するブレースを有する。ブレースは、アンカーがアンカー配備構成にあるときの固定位置と、アンカーがアンカー回収構成にあるときの格納位置との間で可動であってよい。
【００１４】
一例において、ブレースは、一端でフルークに旋回可能に接続され、他端でシャンクに旋回可能に接続され、ブレースは、固定位置と格納位置との間で折畳むように関節接合される。
【００１５】
通常、ブレースは脆い保持器によって固定位置に保持される。
【００１６】
アンカーが２つ以上の異なるアンカー配備構成を有し、シャンクがアンカー配備構成のそれぞれの構成においてフルーク対して異なる角度で配向することが好ましい。一例において、アンカーは、停止部であって、停止部に当たって、ブレースが固定位置に載置される、停止部を有し、停止部は、少なくとも２つの異なる場所のうちの１つの場所に位置決めされる可能性があり、それぞれの異なる場所は異なる固定位置を提供し、それぞれの異なる固定位置は、シャンクが、アンカー配備構成においてフルークに対して異なる角度で配向するようにさせる。
【００１７】
アンカーは、シャンクを、アンカー回収構成から離れるように旋回させるように動作可能な戻り部材を備えてもよい。アンカーは、アンカー回収構成から離れるように旋回するようシャンクを付勢する付勢部材を備えてもよい。戻り部材又は付勢部材は、アンカーをアンカー回収位置からアンカー配備構成に戻すときに役立ってもよい。
【００１８】
本開示の実施形態は、添付図面を参照して、単に例として以下で述べられる。
【図面の簡単な説明】
【００１９】
【図１】第１の実施形態によるアンカーの斜視図である。
【図２】アンカーの分解斜視図である。
【図３】アンカーの締結具の断面図である。
【図４】地面にセットされたアンカーの側面図である。
【図５】地面からちょうど引上げられ始めている回収の第１段におけるアンカーの側面図である。
【図６】地面から引上げられ続けている回収の第２段におけるアンカーの側面図である。
【図７】地面から離れ、格納のため船舶に引戻されている回収の第３段におけるアンカーの側面図である。
【図８】アンカーがアンカーハンドリングタグサプライ船上に引上げられるときの回収の第４段におけるアンカーの側面図である。
【図９】回収の第４段におけるアンカーの締結具の断面図である。
【発明を実施するための形態】
【００２０】
図１及び図２を参照すると、第１の実施形態によるアンカー１は、フルーク２及びシャンク３を備える。アンカー１が使用されて、係留ライン４によって船舶（図示せず）をアンカリングする。アンカー１は、アンカー１を制御するためにチェイサ５を使用するアンカーハンドリングタグサプライ船（ＡＨＴＳ：ａｎｃｈｏｒ  ｈａｎｄｌｉｎｇ  ｔｕｇ  ｓｕｐｐｌｙ船）（図示せず）によって操作される。チェイサ５は、係留ライン４を囲むチェイシングカラー７に取付けられたチェイシングライン６を備える。より厳密には、この実施形態において、ピン９によって係留ライン４をアンカー１に取付けるために使用されるシャックル８及びチェイシングカラー７は、その内容が参照により本明細書に組込まれる特許国際公開第２０１０／１６１４７号パンフレットに記載される型であり、それにより、チェイシングカラー７は、シャックル８と協働して、チェイシングライン６に対するアンカー１の配向をロックし得る。
【００２１】
シャンク３は、フルーク２に旋回可能に接続される。より具体的には、フルーク２は、シャンク３の第１端と協働して、シャンク３とフルーク２を旋回可能に接続するシャンクブラケット１０を有する。この実施形態において、シャンク３は、並んでいるが、互いから離間する２つのシャンクアーム１１を備える。シャンクブラケット１０は、２つのシャンク支持体１２を備え、２つのシャンク支持体１２は、互いから離間してフルーク２の第１の表面１３から突出して、シャンク３の第１端においてシャンクアーム１１に合致する。シャンク支持体１２の第１の支持体は、シャンク３の第１端においてシャンクアーム１１の第１のアームに合致し、シャンク支持体１２の第２の支持体は、シャンク３の第１端においてシャンクアーム１１の第２のアームに合致する。シャンク支持体１２及びシャンクアーム１１のそれぞれは、フルーク２とシャンク３との間の第１の回転軸Ａに中心がある穴１４を有する。２つのスタッド１５が設けられ、１つのスタッドはシャンク支持体１２の第１の支持体及びシャンクアーム１１の第１のアームの穴１４に挿入され、１つのスタッドはシャンク支持体１２の第２の支持体及びシャンクアーム１１の第２のアームの穴１４に挿入される。スタッド１５は、穴１４内で回転して、シャンクアーム１１がシャンク支持体１２に対して回転する、したがって、シャンク３が、第１の回転軸Ａを中心にフルーク２に対して回転することを可能にする。フルーク２及びシャンク３が、他の方向にではないが、第１の回転軸Ａの周りに互いに対して旋回する可能性があり、シャンク３とフルーク２との間の継手がヒンジ又はヒンジ付き継手として述べられ得ること、又は、シャンク３とフルーク２との間の旋回が回転として述べられ得ることを意味することが認識されるであろう。
【００２２】
フルーク２は、ショベル又はスペードの形態のプレート１６を備える。より具体的には、プレート１６は、シャンク３とフルーク２との間の回転軸Ａに垂直な湾曲軸を有する仮想円柱の壁の一部分にほぼ合致するように湾曲する。シャンク３とフルーク２との間の回転軸Ａに垂直な対称軸Ｂからの距離の増加に伴って、またおそらくは同様に対称軸Ｂに沿う距離に伴って、湾曲が仮想円柱の表面からわずかに逸脱する場合でも、少なくとも、フルーク２は、対称軸Ｂを中心に対称である。フルーク２のビル１７は対称軸Ｂの一端に向かうプレート１６の縁にあり、フルーク２のヘッド１８は対称軸Ｂの他端に向かうプレート１６の縁にある。ビル１７は、プレート１６の周縁の残りの部分と比較して比較的薄くかつ鋭い２つの先端１９を有する。ビル１７はフルーク２が地面に突っ込むのに役立つ。対称軸Ｂの両側のプレート１６の部分はウィングと呼ばれてもよい。
【００２３】
シャンク３とフルーク２との間の回転軸Ａが、フルーク２のビル１７とヘッド１８との間に延びる対称ラインＢに垂直であるため、シャンク３が、フルーク２のビル１７とフルーク２のヘッド１８との間で旋回し得ることが認識されるであろう。
【００２４】
ブレース２０は、フルーク２のビル１７に向かうシャンク３の旋回を制限するために設けられる。この実施形態において、ブレース２０は、２つのシャンクアーム１１からフルーク２まで延在する２つのブレースアーム２１を備える。ブレースアーム２１の第１のブレースアームはシャンクアーム１１の第１のシャンクアームからフルーク２まで延在し、ブレースアーム２１の第２のブレースアームはシャンクアーム１１の第２のシャンクアームからフルーク２まで延在する。
【００２５】
ブレース２０は、フルーク２のヘッド１８の近くでフルーク２に旋回可能に接続される。フルーク２は、ブレース２０のフルーク端と協働して、フルーク２とブレース２０を旋回可能に接続するブレースブラケット２２を有する。ブレースブラケット２２は、ブレース２０のフルーク端においてブレースアーム２１に合致するために互いに離間した、フルーク２の第１の表面１３から突出する２つのブレース支持体２３を備える。ブレース支持体２３の第１の支持体は、ブレース２０のフルーク端においてブレースアーム２１の第１のブレースアームに合致し、ブレース支持体２３の第２の支持体は、ブレース２０のフルーク端においてブレースアーム２１の第２のブレースアームに合致する。ブレース支持体２３及びブレースアーム２１のそれぞれは、フルーク２とブレース２０との間の第２の回転軸Ｃに中心がある穴２４を有する。２つのスタッド１５が設けられ、１つのスタッドはブレース支持体２３の第１の支持体及びブレースアーム２１の第１のブレースアームの穴２４に挿入され、別のスタッドはブレース支持体２３の第２の支持体及びブレースアーム２１の第２のブレースアームの穴２４に挿入される。スタッド１５は、穴２４内で回転して、ブレースアーム２１がブレース支持体２３に対して回転する、したがって、ブレース２０が、第２の回転軸Ｃを中心にフルーク２に対して回転することを可能にする。
【００２６】
ブレース２０は、同様に、シャンク３に旋回可能に接続される。シャンク３は、ブレース２０のシャンク端と協働して、シャンク３及びブレース２０を旋回可能に接続する。ブレースアーム２１は、互いから離間して、ブレース２０のシャンク端においてシャンクアーム１１に合致する。ブレースアーム２１の第１のブレースアームはブレース２０のシャンク端においてシャンクアーム１１の第１のシャンクアームに合致し、ブレースアーム２１の第２のブレースアームはブレース２０のシャンク端においてシャンクアーム１１の第２のシャンクアームに合致する。ブレースアーム２１及びシャンクアーム１１のそれぞれは、ブレース２０とシャンク３との間の第３の回転軸Ｄに中心がある穴２６を有する。２つのスタッド２７が設けられ、１つのスタッドはブレースアーム２１の第１のブレースアーム及びシャンクアーム１１の第１のシャンクアームの穴２６に挿入され、別のスタッドはブレースアーム２１の第２のブレースアーム及びシャンクアーム１１の第２のシャンクアームの穴２６に挿入される。スタッド２７は、穴２６内で回転して、ブレースアーム２１がシャンクアーム１１に対して回転する、したがって、ブレース２０が、第３の回転軸Ｄを中心にシャンク３に対して回転することを可能にする。
【００２７】
ブレース２０は関節接合される。すなわち、ブレース２０は、フレーク端とシャンク端との間でその長さに沿って旋回継手を有する。この実施形態において、ブレース２０が２つのブレースアーム２１を備えるため、ブレースアーム２１のそれぞれは、２つの部材２８、２９：ブレースアーム２１のフルーク端に向かう第１の部材２８及びブレースアーム２１のシャンク端に向かう第２の部材２９を備える。それぞれの各ブレースアーム２１の第１及び第２の部材２８、２９は、継手において旋回可能に接続される。より具体的には、第１及び第２の部材２８、２９のそれぞれは、継手の第４の回転軸Ｅに中心がある穴３０を有する。２つのスタッド３１が設けられ、１つのスタッドはブレースアーム２１の第１のブレースアームの第１及び第２の部材２８、２９の穴３０に挿入され、別のスタッドはブレースアーム２１の第２のブレースアームの第１及び第２の部材２８、２９の穴３０に挿入される。スタッド３１は、穴３０内で回転して、それぞれの各ブレースアーム２１の第１及び第２の部材２８、２９が互いに対して回転する、したがって、ブレース２０が、第４の回転軸Ｅにおいて関節接合することを可能にする。
【００２８】
第１、第２、第３、及び第４の回転軸Ａ、Ｃ、Ｄ、Ｅは互いに平行である。これは、シャンク３、フルーク２、及びブレース２０が全て、単一平面内で互いに対して回転することを意味する。
【００２９】
フルーク２のビル１７に向かってシャンク３を旋回させることが、フルーク２のヘッド１８からの距離を増加させることが認識されるであろう。フルーク２のヘッド１８からの距離は、ブレースブラケット２２がブレース２０をフルーク２に接続する場所からブレース２０がシャンク３に接続される場所までの距離である。これは、ブレース２０の関節を真っ直ぐにする、例えば、ブレースアーム２１のそれぞれの第１及び第２の部材２８、２９が互いから離れて広がるようにさせる効果を有する。逆に、フルーク２のヘッド１８に向かってシャンク３を旋回させることは、フルーク２のヘッド１８からブレース２０がシャンク３に接続される場所までの距離を減少させる。これは、ブレース２０の関節を屈曲させる、例えば、ブレースアーム２１のそれぞれの第１及び第２の部材２８、２９が互いに向かって折畳まれるようにさせる効果を有する。
【００３０】
ビル１７に向かうシャンク３の旋回を制限する停止部が設けられる。この実施形態において、停止部は停止穴３３に挿入可能な２つの停止ピン３２を備える。停止穴３３は、シャンクアーム１１上に位置付けられ、ブレースアーム２１の第２の部材２９のスイープに交差する中心軸を有する。停止穴３３は対で設けられ、それぞれの対の停止穴３３は第１から第４の回転軸Ａ、Ｃ、Ｄ、Ｅに平行な共通中心軸を有する。停止ピン３２が停止穴の対内に挿入された状態で、ブレースアーム２１の第２の部材２９の回転は、第２の部材２９のそれぞれの縁が停止ピン３２に当接すると、停止ピン３２によって制限される。この実施形態において、シャンク３は、第２の部材２９のスイープの異なる角度において停止穴３３の３つの対を有する。停止穴３３の対の異なる対内に停止ピン３２を位置付けることは、第２の部材２９の回転を異なる角度で制限する。その結果、フルーク２のビル１７に向かうシャンク３の旋回は、フルーク角度と呼ばれる、シャンク３とフルーク２のビル１７との間の選択された角度で制限される。これは、アンカー配備構成として知られる。この実施形態において、フルーク角度は、例として、３０°、４０°、及び５０°である。フルーク角度は、アンカー１がほぼ地面内にセットするよう促進するときに重要であり、例のフルーク角度は、それぞれ、異なる型の地面内にアンカーを最適にセットするのに適切である。
【００３１】
シャンクブラケット１０は、シャンクブラケット１０とフルーク２のビル１７との間よりシャンクブラケット１０とフルーク２のヘッド１８との間にフルーク２のプロファイルのより多くの部分が存在するように位置付けられる。これは、フルーク２のより大きなプロファイルがビル１７よりヘッド１８に向けられた状態でシャンク３がフルーク２に旋回可能に接続されることを意味する。この実施形態において、これは、シャンクブラケット１０がヘッド１８よりもビル１７に近づくことによって達成される。しかし、フルーク２が、ビル１７に向かってよりもヘッド１８に向かって幅広であってもよいため、これは、常に必要ではない。こうしてシャンクブラケット１０を位置決めする効果は、アンカー１が地面内にあり、係留ライン４によってフルーク２から離れるようにシャンク３の長さに沿って力が加えられるとき、軸Ａの周りでフルーク２に印加されるトルクがビル１７をシャンク３の方に、また、ヘッド１８をシャンク３から離れるように付勢する傾向があるということである。これは、トルクがシャンク３を停止部に当てて付勢し、それにより、アンカー１をアンカー配備構成に維持することを意味する。
【００３２】
フルーク２のヘッド端１８に向かうシャンク３の旋回を制限する脆い保持器が設けられる。この実施形態において、脆い保持器は、保持器穴３５に挿入可能な２つの脆い保持器ピン３４を備える。保持器穴３５は、シャンクアーム１１上に位置付けられ、対で設けられる。保持器穴３５の各対は、第２の部材２９の縁が、停止穴３３のそれぞれの対に挿入される停止ピン３２に当接するとき、ブレースアーム２１の第２の部材２９内の対応する保持器穴３５に合致するように位置決めされる。停止ピン３２が挿入される停止穴３３の対に関連する保持器穴３５の対内に脆い保持器ピン３４が挿入された状態で、フルーク２に対するシャンク３の回転が防止される。
【００３３】
脆い保持器は、停止部と比較して、また、アンカー１が地面から取出されるときにフルーク２のヘッド端１８に向かってシャンク３を通常引張るトルクの量と比較して比較的弱い。これは、脆い保持器が、地面からのアンカー１の取出し中に、通常、破砕し、それにより、シャンク３がフルーク２のヘッド端１８に向かって回転することを可能にするべきであることを意味する。
【００３４】
脆い保持器が破砕した状態で、フルーク２のヘッド端１８に向かうシャンク３の旋回は、シャンク２が、フルーク２の第１の表面１３に載置するようになることによって制限される。締結具３６がフルーク２のヘッド端１８に設けられて、アンカー回収構成として知られるこの位置にシャンク２を保持する。図３に最も明瞭に見られるように、締結具３６は、旋回軸３８上に取付けられたロッカーアーム３７を備える。ロッカーアーム３７の一端に、突出部３９が存在する。ロッカーアーム３７の他端に、アクチュエータ４０が存在する。弾性部材４５は、ロッカーアーム３７が第１の配向で弾性的に保持されるように、旋回軸３８の両側でロッカーアーム３７の表面に載置して、旋回軸３８に隣接して設けられる。この実施形態において、旋回軸３８は、第１から第４の回転軸Ａ、Ｃ、Ｄ、Ｅに平行な単一回転軸をロッカーアーム３７に提供し、第１の配向において、ロッカーアーム３７は、フルーク２の対象軸Ｂに実質的に垂直である。いずれかの方向への旋回軸３８を中心とするロッカーアーム３７の回転は、弾性部材４５の力に抗する。この実施形態において、弾性部材４５は、ゴム等の弾性変形可能材料のブロックである。
【００３５】
シャンク３は、シャンク３がフルーク２のヘッド端１８に向かって回転するときに締結具３６と接触状態になるように配置されたバー４１を有する。この実施形態において、バー４１は、シャンクアーム１１の間に延在する。バー４１は、フルーク２の第１の表面１３にシャンク３が載置するときに突出部３９を受取るように配置された締結具穴４２を有して、シャンク３をアンカー回収構成で保持する。締結具３６はカム表面４３を有する。バー４１は、シャンク３がフルーク２のヘッド端１８に向かって回転し、ロッカーアーム３７が第１の配向にあるとき、カム表面４３において締結具３６と接触状態になるように配置される。そのため、バー４１は、効果的にカムフォロアである。バー４１は、カム表面４３と協働して、シャンク３がフルーク２のヘッド端１８に向かって回転すると、突出部３９をバー４１から離して押す（シャンク３から離れる）ように配置される。シャンク３がフルーク２の第１の表面１３に載置するようになると、バー４１は、カム表面４３からずれて摺動するように配置され、突出部３９は、弾性部材４５の付勢力の下で締結具穴４２に入り得る。シャンク３がフルーク２の第１の表面１３に載置し、ロッカーアーム３７が第１の配向にある状態で、突出部３９は、締結具穴４２に位置付けられ、それにより、締結具３６は、シャンク３をアンカー回収構成に保持する。シャンク３がフルーク２のヘッド端１８に向かって回転するときの、バー４１、締結具穴４２、及び弾性部材４５の影響下でのロッカーアーム３７の動作は、この実施形態において、締結具３６が効果的にキャッチであることを意味する。
【００３６】
突出部３９に対するロッカーアーム３７の対向端に位置付けられるアクチュエータ４０は、第１の表面１３に対するフルーク２の反対側の、フルーク２の第２の表面４６を超えて突出するように配置される。したがって、ロッカーアーム３７が、ヘッド端１８において、フルーク２の一方の側からフルーク２の反対側までフルーク２の厚さにわたって延在することが認識されるであろう。アクチュエータ４０は、フルーク２のヘッド端１８から離れるようにアクチュエータ４０を移動させることが、ロッカーアーム３７の他端に位置付けられる突出部３９を、バー４１から引離す、すなわち、シャンク３から引離すように配置される。これは、アクチュエータ４０が使用されて、突出部３９を締結具穴４２から出し、それにより、シャンク３をアンカー回収構成から解除し得ることを意味する。
【００３７】
動作時、アンカー１は、ＡＨＴＳ船に載っている間、アンカー配備構成に置かれる。これは、停止ピン３２を停止穴３３の対内に挿入することであって、それにより、シャンク３とフルーク２との間のフルーク角度を選択する、挿入すること、及び、脆い保持器ピン３４を、選択された停止穴３３に関連する保持器穴３５の対内に挿入することを含む。アンカー１は、その後、ＡＨＴＳ船によって海中に放出され、ＡＨＴＳ船の制御下で地面内にセットされる。図４に示すように、アンカー１がセットされた状態で、フルーク２のビル１７は、地面に貫入して、アンカー１を所定の場所に保持する。シャンク３の長さ方向に係留ライン４によってアンカー１に力が加えられると、軸Ａの場所は、フルーク２によってシャンク３に印加されるトルクがフルーク２のビル１７に向けてシャンク３を付勢することを保証する。これは、ブレースアーム２１が停止ピン３２を押付けるようにさせ、そのことが、アンカー１がアンカー配備構成に留まることを保証する。
【００３８】
アンカー１を回収することが所望されると、ＡＨＴＳ船は、係留ライン４に沿ってチェイシングカラー７を引張りながらアンカー１に向かって係留ライン４の方向に沿って移動する。チェイシングカラー７の移動は、シャックル８によって停止され、その後、シャックル８によってアンカー１に力が加えられる。この力は、シャンク３をフルーク２のヘッドに向けて付勢し、それにより、ブレースアーム２１を脆い保持器ピン３４に押付ける。十分な力が加えられて、脆い保持器ピン３４を破断し、それにより、アンカー１をアンカー配備構成から解除する。通常、この力は２５０Ｎである場合がある。その後、シャンク３は、図５に示すようにフルーク２のヘッド端１８に向かって、図６に示すようにアンカー回収構成になるように、フルーク２に対して自由に回転する。シャンク３がアンカー回収構成になるよう回転すると、締結具３６がシャンク３を保持するように作用する。
【００３９】
シャンク３がアンカー回収構成になると、ＡＨＴＳ船は、地面からフルーク２を引出すために、アンカー１に、最大１５００Ｎであってもよい力を加え続ける。回収力が、アンカー１に最小トルクが印加された状態でフルークを上にかつ地面から出るように引くことを目標とすることを、アンカー回収構成におけるフルーク２に対するシャンク３の配向が意味することが見てわかる。
【００４０】
図７は、地面から離れ、格納のため船舶に引戻されている回収の第３段におけるアンカーの側面図である。
【００４１】
アンカー１がＡＨＴＳ船上に回収されるにつれて、アンカー１は、通常、図８に示すように船舶の側部上のローラ４４上をたどって通過する。アンカー回収構成におけるシャンク３及びフルーク２の配向ならびにアンカー１が回収されるときのローラ４４に対するチェイシングライン６及び係留ライン４の位置決めのせいで、この段において効果的にアンカー１の「底（ｂｏｔｔｏｍ）」であり、したがって、ローラ４４に当たって通過するのは、通常、フルーク２の第２の表面４６である。これは、アンカー１がローラ４４上をたどって通過するとき締結具３６のアクチュエータ４０がフルーク２のヘッド端１８から離れるように押されることを意味する。これは、図９に示すように、ロッカーアーム３７を弾性部材４５の力に抗して回転させ、突出部３９を締結具穴４２から出す。これは、シャンク３をアンカー回収構成から解除し、アンカー１が、アンカー配備構成であって、新しい脆い保持ピン３４が保持穴３５に挿入されるとアンカー１が再び配備する準備がいつでもできてきる、アンカー配備構成に戻ることを可能にする。ロッカーアーム３７の回転は、同様に、アクチュエータ４０をフルーク２の第２の表面４６に向かって移動させ、それにより、アンカー１がローラ４４上をたどって通過することを可能にする。
【００４２】
上述した実施形態に対して種々の修正が行われてもよい。例えば、フルーク２は異なる形状を有してもよい。特に、フルーク２は、１つの先端１９及びビル１７だけを有してもよい。
【００４３】
上述したシャンク３は、２つのシャンクアーム１１を有するが、これは本質的でない。シャンク３は、代替的に、単一シャンクアーム１１を有してもよい。同様に、ブレース２０は、２つのブレースアーム２１を有するが、これは本質的でない。ブレース２０は、シャンクが１つ又は複数のシャンクアーム１１を持つか否かによらず、単一のブレースアーム２１を有してもよい。当然、シャンクブラケット１０、ブレースブラケット２２、及びシャンク３とブレース２０との間の接続が、相応して修正される可能性がある。
【００４４】
アンカー１をアンカー配備構成により弱く保持することが所望される場合、又は、より強い材料が脆い保持ピン３４について使用される場合、他の修正が全くない状態で、アンカー１がたった１つの脆い保持ピン３４と共に使用される可能性があることが同様に留意されるべきである。
【００４５】
上述したように、シャンク３がアンカー回収構成から解除されると、アンカー１は、アンカー１が再び配備される準備がいつでもできているアンカー配備構成に戻ってもよい。
【００４６】
幾つかの配置構成において、シャンクを、その位置から離れてアンカー回収構成になるよう旋回させるように動作可能である戻り部材（図示せず）が設けられてもよい。戻り部材は異なる形態で実装されてもよい。１つの配置構成において、戻り部材は、アンカー１に取付けられ、シャンクをアンカー回収構成から離れるように旋回させる力をシャンクに加えるように動作可能なアクチュエータであってもよい。アクチュエータは、例えば、電気的に、油圧式に、又は空気圧式に、当業者によって選択される任意の方法で動作してもよい。
【００４７】
幾つかの配置構成において、アンカー回収構成から離れるように旋回するようシャンクを付勢する付勢部材が設けられてもよい。したがって、付勢部材は戻り部材として作用してもよい。付勢部材は、アンカー１上に配置され、フルーク２から離れてアンカー配備構成のシャンク位置に向かって旋回するようシャンク３を付勢してもよい。
【００４８】
付勢部材は、幾つかの異なる方法で実装されてもよい。一実施形態において、付勢部材は、フルーク２のヘッド１８からフルーク２のビル１７に向かう方向にシャンク３を旋回させる方向に付勢力又はトルクを加えるように配置されてもよい。付勢部材は、例えば、ねじりばねによって、ワイヤ形態ねじり要素によって、又は弾性ねじり要素によって形成されたねじり部材であってよい。ねじり部材は、シャンクアーム１１とシャンク支持体１２との間に配置されて、シャンクアームのトルクを提供してもよい。代替的に、付勢部材は、シャンク３とフルーク２との間に配設された引張りばね又は圧縮ばねによって提供されてもよい。
【００４９】
幾つかの配置構成において、戻り部材又は付勢部材によって加えられる力は、シャンク３に外部力が全く加えられないか又は最小の外部力だけが加えられた状態で、アンカー配備構成のその位置にシャンク３を旋回させるのに十分に強いてもよい。他の配置構成において、戻り部材又は付勢部材によって加えられる力は、外部支援なしで、アンカー回収構成のその位置からアンカー配備構成のその位置までシャンク３を完全に旋回させるのに十分に強くなくてもよい。いずれの場合も、アンカーがアンカー配備構成に戻ると、新しい脆い保持ピン３４が、アンカーが再び配備される準備がいつでもできている状態で、保持穴３５に挿入されてもよい。
【００５０】
他の変形及び修正は当業者に明らかになる。こうした変形及び修正は、既に知られており、本明細書で述べる特徴の代わりに又はそれに加えて使用されてもよい等価なまた他の特徴を含んでもよい。別個の実施形態の文脈で述べられる特徴は組合せて単一の実施形態で提供されてもよい。逆に、単一の実施形態の文脈で述べられる特徴は、同様に、別々に又は任意の適した部分組合せで提供されてもよい。
【００５１】
用語「備える（ｃｏｍｐｒｉｓｉｎｇ）」が他の要素又はステップを排除せず、用語「１つの（ａ）」又は「１つの（ａｎ）」が複数を排除せず、単一の特徴が特許請求項で挙げる幾つかの特徴の機能を実施してもよく、特許請求項内の参照符合が特許請求項の範囲を制限するものと解釈されないものとすることが留意されるべきである。図が必ずしも一定比例尺に従っていない、すなわち、本発明の原理を示すときに、強調が、代わりに一般的に行われることが同様に留意されるべきである。
【図１】
2017511762.tif 000003
【図２】
2017511762.tif 000004
【図３】
2017511762.tif 000005
【図４】
2017511762.tif 000006
【図５】
2017511762.tif 000007
【図６】
2017511762.tif 000008
【図７】
2017511762.tif 000009
【図８】
2017511762.tif 000010
【図９】
2017511762.tif 000011
【国際調査報告】
2017511762.tif 000012
2017511762.tif 000013